(57)【要約】本発明は、医学と関連がある。本発明の本質は、人がフローティング・センターの空間的に隔離された客室に置かれることにある。人は、そのために個別に決められた日数の間、不変に客室に滞在する。人は、視覚的及び空間的に隔離される。滞在条件は、厳しい状況及び追加の考査要素にさらされる人間の普通の生活環境をベースとしている。同時に、人の身体的状態及び人の知的水準を改善するための状況を備える。人の状態は、直接的に、及び、センサーを用いて遠隔で、監視される。生活環境は徐々に変更され、それによって、人の順応性を改善する。船の上部構造物は、その船体と共に肝要な様式で具現化され、また、長手方向の仕切りによって、舷側から分離された閉鎖空間のエリアを備え、また、そこに配置されたキャビンを備えた４つの隔離されたサブ・エリアに分けられる。ガラス・プロムナード・デッキは、閉鎖空間のエリアの上方に配置されている。短縮されたデッキの各隔離エリアにキャビンが配置され、その間に配置された通路を備える。通路の高さは、キャビンを有するすべてのデッキの高さの合計に等しい。
2004531308.tif 000002
【特許請求の範囲】
【請求項１】
個人の精神状態を矯正する方法であって、特定の生活状況を備えた空間的に隔離された領域に個人が配され、そこで状況を徐々に変化させ個人の順応の程度を増大させつつ彼または彼女の状態を監視し、彼または彼女の視覚的な隔離を確保しながら、個々に選択された日数の間、連続的に滞在するために彼又は彼女は前記領域に寝泊まりし、空間的な隔離は、前もって定められた期間が満了するまで、または、前記領域に滞在する人が連絡信号を送る前に保たれており、これらの状況の下で個人は日々の厳しい養生並びに考査に晒され、生理的な改善及び知的発達のための環境を形成しつつ彼または彼女の規定食は修正され、かつ制御され、個人の精神生理学的状態の監視は、生理的センサーを用いて遠隔により、かつ、局所的な視覚的監察により行われることを特徴とする、矯正方法。
【請求項２】
考査に使用される要素は個々に選択されることを特徴とする請求項１に記載の方法。
【請求項３】
背音及び温度の変更は、考査の要素として作用することを特徴とする請求項１または２のいずれか一項に記載の方法。
【請求項４】
空間的な隔離は、遠隔的に、または、信号が作動し続け各キャビンの外側に配置された電球が観察者によって認識された後に、解かれることを特徴とする請求項１乃至３のいずれか一項に記載の方法。
【請求項５】
客船として作られたフローティング・センターであって、船体と、建造物と、両舷側に沿う切頭形のいくつかのデッキに配置された２列のキャビンと、該キャビンの列の間に設けられ、かつ全ての切頭形のデッキの高さの合計に等しい高さを有する長手方向の通路として形作られた自由空間とを備え、該船体及び建造物は、船嘴部分及び船尾部分の内部に、長手方向の仕切りによって舷側から隔離された閉鎖空間を有する単一構造として形成されており、該閉鎖空間は、キャビンの列が配置された下方及び上方の隔離されたゾーンに分割されており、該閉鎖空間の全体にわたる上面の上方にガラスに囲まれたプロムナードデッキが配されていることを特徴とする、フローティング・センター。
【請求項６】
生理学的な状態を改善するための施設が配置されたゾーンをさらに含み、その上方にはヘリポートが配置されていることを特徴とする請求項５に記載のフローティング・センター。
【請求項７】
生理学的な状態を改善するための施設が配置されているゾーンが、船嘴部分の閉鎖空間と船尾部分の閉鎖空間との間に位置していることを特徴とする、請求項６に記載のフローティング・センター。
【請求項８】
舷側と長手方向の仕切りとの間にプロムナードギャラリーが設けられていることを特徴とする請求項５乃至７のいずれか一項に記載のフローティング・センター。
【請求項９】
閉鎖空間の隔離されたゾーンにおける各切頭形のデッキは、通路の方向からガードレールで終端していることを特徴とする請求項５乃至８のいずれか一項に記載のフローティング・センター。
【請求項１０】
キャビンは、前もって定められた時間で、または、各キャビンの外側の電球信号が作動し出し、共用廊下にいる観察者によって認識された後に、遠隔的に開放されることを特徴とする請求項５乃至９のいずれか一項に記載のフローティング・センター。
【発明の詳細な説明】
【技術分野】
【０００１】
本発明は、個人の精神状態の改善方法及びこのような方法を実施するための旅客船に関連しており、医学と造船の分野において、過酷な状況の下で働く人々の訓練のための精神診療に有用であろう。
【背景技術】
【０００２】
特に高圧酸素療法の手法（例えば、ＳＵ１６４８４６１、１９９１年）で、酸素雰囲気中での昇圧の好ましい影響力を利用した、個人の精神状態を矯正する為の方法が知られている。これらの方法は、特別な医療機器及び事前の健康診断を必要とし、鬱病、抑圧された状態、またはその逆に、神経の興奮状態及び関連状態に陥る生理的な要因を有する個人に有用であろう。
【０００３】
本発明による個人の精神状態の矯正方法に最も近い従来技術は、１９９１年のＳＵ１６８０１６６に開示されている方法である。この方法は、個人を苦しませる過度の疲労、非社交性、不安症及び恐怖症を引き起こす状態の改善に利用される。この方法によると、個人は特別な養生、特に高圧酸素養生下で、隔離された部屋に置かれる。この高圧酸素圧力は、数千メートルの高さを擬態するように減ぜられる。患者の状態は、指定された日数の間観察され、この間、その養生は徐々に調整される。擬態された天井高さは増加され、個人の順応の程度は段々に改善される。この養生のメリットは、作業能力の増加と、恐怖反応の減少と、活力の増加として現れる。
【０００４】
本発明の技術的解決法の見地においては、この方法は、複雑な医療機器を使用する必要が有り、かつ、低酸素状態を前提条件とする事前の健康診断の間に見つかる上記の状態の臨床症状に苦しむ人にだけの利用に止まるという点で不利である。この方法は、医療関係者の主導でのみ行うことができ、かつ、治療効果の達成に向けられている。同時に、この方法は、医師の勧告で厳格に行われ、一方で、患者のイニシアチブは考慮に入れられない。
【０００５】
Ｅ．Ｇ．Ｆｒｉｄは、いくつかのデッキと、中央廊下によって分離された各デッキのキャビンとを有する旅客船を説明している（Ｅ.Ｇ．Ｆｒｉｄ．  船の構造，レニングラード  Ｓｕｄｏｓｔｒｏｙｅｎｉｅ（造船）,  １９９０年、４５頁）。このタイプの構造は、快適で、旅客船やクルーズ船に通常便利に利用することができる。
【０００６】
本発明の技術的解決法の見地においては、上記の構造の欠点は、デッキによって隔離された、異なるレベルにあるキャビンに滞在している個人の状態を同時に監視する能力が制限されていること及び、同時にキャビンを視覚的に制御できないことにある。さらに、キャビンは、主に本発明の技術的効果を達成する事ができない建造物に配置されている。
【０００７】
本発明による技術的解決法に最も近い先行技術は、日本国特許出願平成３年４６３５７号(公告)、Ｂ６３Ｂ３５／７３に開示されている旅客船である。その旅客船は、各組の一方が船の内側向きのキャビンで、他方が外向きのキャビンになるように、いくつかの先を切り取った形（切頭形）のデッキの両舷側に沿って２つ一組で配置された２列のキャビンによって形成された構造を含む。同時に、どの切頭形のデッキも下方に位置するものよりも小さな領域を有する対応する列を備える。それ故、どの列も角錐台のような形をしている。キャビンの列の間に縦廊下のような形をした自由空間もある。
【０００８】
旅客船のこの構造は、建造物にだけキャビンの列がある状況、及び、そのドアが対応する列の異なる側に開放されるように組になってキャビンが配置されていることにより不利である。このような構造では、外部の環境からの乗客の隔離が備えられておらず、キャビンを同時に視覚的に管理できない。
【特許文献１】
ＳＵ１６４８４６１（１９９１年）
【特許文献２】
ＳＵ１６８０１６６（１９９１年）
【特許文献３】
特公平０３−０４６３５７
【非特許文献１】
Ｅ．Ｇ．Ｆｒｉｄ．船の構造、１９９０年、４５頁
【発明の開示】
【発明が解決しようとする課題】
【０００９】
本発明により解決される課題のひとつは、個人の精神生理学的な状態に影響を与える自然のメカニズムを心理的なメカニズムとトレーニングのメカニズムと共に利用することにより従来の方法に比べて、プロセスを簡単にし、かつ、効果を高める、個人の精神状態を矯正する為の方法を創出することである。
【００１０】
さらに、本発明で解決される別の問題は、前記方法を実行する為の最適条件を備えるフローティング・センターを創出することである。
本発明によって達成される技術的効果の一つは、心理学的に用いられる方法により、普段と違う極限状態に近い状況下での個人の状態を調査し、この調査においてなされた結論に基づいて精神生理学的状態を操作するための技術を創出する可能性をもたらしえることである。
【００１１】
さらに、また、別の技術的な効果は、個人の精神に肯定的に影響する技術を発展させるために、医学的方法並びに心理的かつ生理的トレーニングなどの特別なシステムを用いて個人の状態を研究する可能性をもたらしえることである。
【課題を解決するための手段】
【００１２】
上記の課題は個人の心理的状態を矯正する方法により解決され、この方法によれば、特定の生活条件を備えた空間的に隔離された領域に個人が配され、そこで、彼または彼女の視覚的な隔離を確保しながら、個々に選択された日数の間、連続的滞在のために彼又は彼女を前記領域に寝泊まりさせることにより、条件を徐々に変化させ個人の順応の程度を増大させつつ彼または彼女の状態を監視し、前もって定められた期間が満了するまで、または、前記領域に滞在する人が連絡信号を送る前には、空間的な隔離は保たれている。これらの状況の下で個人は日々の厳しい養生並びに考査に晒される。更に、彼または彼女の規定食は修正され、かつ制御される。同時に、生理的な改善及び知的発達のための環境が形成される。個人の精神生理学的状態の監視は、生理的センサーを用いて遠隔により、かつ、視覚的監察により局所的に行われる考査に使用される要素は個々に選択される。バックグラウンドサウンド及び温度の変化は、考査の要素として作用する。観察者に見えるようにすべてのキャビンの外側に電球が配置され、空間的な隔離は遠隔で、または信号が機能した後に妨げられる。
【００１３】
上述した技術的な課題は、上記方法を実行するフローティングセンターによって解決され、これは客船として形成されており、船体と、建造物と、両舷側に沿う切頭形のいくつかのデッキに配置された２列のキャビンと、該キャビンの列の間に設けられ、かつ全ての切頭形のデッキの高さの合計に等しい高さを有する長手方向の通路として形作られた自由空間とを備え、該船体及び建造物は、船嘴部分及び船尾部分の内部に、長手方向の仕切りによって舷側から隔離された閉鎖空間を有する単一構造として形成されており、該各閉鎖空間は、キャビンの列が配置された下方及び上方の隔離されたゾーンに分割されており、該閉鎖空間の全体にわたる上面の上方にガラスに囲まれたプロムナードデッキが配されている。
【００１４】
フローティング・センターは、生理的な状態を改善するための施設が配置されている、船嘴部分および船尾部分の閉鎖された空間の間に配置されたゾーンをさらに含み、前記ゾーンの上方にはヘリポートが配置されている。
【００１５】
舷側と長手方向の仕切りとの間には、プロムナードギャラリーが設けられており、一方で、閉鎖空間の隔離されたゾーンにおける各切頭形のデッキは、通路の方向からガードレールで終端している。キャビンは、あらかじめ設定した時間または各キャビンの外部の電球・シグナルが作動し出したのを共用通路にいる観察者によって認識された後に遠隔操作で開けられる。
【００１６】
本発明の方法によると、環境からの視覚的な隔離は、舷窓のないキャビンの壁を作る事によって達成される。キャビンは、通常の照明ランプによって照らされている。乗客の空間的な隔離を提供するために、キャビンのドアは、外側からしか開けられないように作られる。
【発明を実施するための最良の形態】
【００１７】
本発明の方法は、心の平静を取り戻すことを必要とする個人の心理的状態の矯正、自信の増大、社会的適応の改善を企図し、または、快楽や娯楽も無く、他の人との接触をたった隔離された場所で、一定期間身をおくことにより、及び、身体と心のトレーニングに必要な環境を作り上げる一方で、厳しい環境を強調する追加条件を作り出すことにより、個人の意志を強めること及び、自我確認を目標とする個人に向けられている。同時に、各個人は、心理学者、精神分析学者、コーチ及び他の専門家によって絶えず観察され、かつ、生活環境は個人毎に適宜調整される。この方法は、乗客とサービス・クルーとの間の不変的なやり取り及び、作業順序の調整が規定されていることを特徴とする。この方法によると、関与したいずれの個人も、ありふれた環境の外で彼または彼女の潜在能力の客観的評価をうけることができる。
【００１８】
前記方法を実施するためのフローティング・センターは、客船として作られ、該客船上で乗客は、水線より下方及び上方の船の大部分を占めている２つの閉鎖された空間内に配置されたキャビンに寝泊まりし、これらの閉鎖された空間は、それぞれ、船嘴の上方ゾーン及び下方ゾーンと、船尾の上方ゾーン及び下方ゾーンとの２つの隔離されたゾーンに分けられている。船は、閉鎖された空間の間の中央部分に、さまざまなフィジカル・トレーニング用に乗客に利用される目的の施設を有している。これらの施設の上方には、非常時にヘリコプターを安全に着陸させるのに適したヘリポートがある。乗客を受け入れるキャビンは、舷窓のない一枚壁で作られ、ガードレールに囲まれた先を切り取った形（切頭形）のデッキの各隔離されたゾーンに配置されている。各キャビンは、あらかじめ設定した時間またはキャビンに滞在する個人の要請で、通路にいる観察者が電球シグナルを認識することにより外部から遠隔操作で開けられる。舷側とキャビンの列の間には、乗客のためにプロムナード・ギャラリーが設けられている。
【００１９】
心理学分野の専門文献から知られているように、個人は、彼または彼女が社会で担っている生活から離れたがっており、彼または彼女の生活環境を本明細書に開示された厳しい状況に最大限近づく苦行のような、過酷で、厳しい状況に彼または彼女の生活環境を制限することをいとわず、意識的に彼または彼女の人格の改善ために、または、彼または彼女の意志の強化のために意識的に努めること、または、社会においては不足している未知の辛辣な感覚を経験すること、または、ただ日々の作業から離れて一人になることを求めている。サービス・クルーの目的は、彼または彼女が求める結果、言い換えれば、彼または彼女が求める矯正の種類によって個人毎に独特な環境を作り出すことである。このような滞在の成果の達成は、クルーの仕事を履行する能力にかかっている。
【００２０】
人と接するどの仕事でも同様だが、人的要因の影響を軽視することはできない。ゆえに、心理的な矯正に向けられる複雑な作業に含まれている作業のどれかをやめてしまう可能性が常にある。具体的には、必要であれば身体活動を多様化させ、バックグラウンド音楽及び食事の養生が変更される。
【００２１】
もし必要なら、遊歩、健康診断及びコーチとの相談が毎日の養生に含まれる。また、矯正サイクルの正常な終了時間前に、センターの作業を中断することも可能である。この場合、乗客はヘリコプターで立ち退くこともできる。
【００２２】
発明者の見解では、本発明の方法を実行するもっとも適した状況は、大海原または外洋に滞在することであろう。この場合、補助的な設備及び器具がない場合でも、人里からの完全な隔離を達成することができ、一方で、このような状況が、個人が完全に自制力を回復した場合にのみ耐えることが可能なこの強大な自然力に直面している感覚を作り出す。これは、人工的に作られた環境以外の、陸上の他の状況では創り出せない本方法の特徴に寄与するとても効果的な心理的要素である。しかしながら、この場合、人工的に作ることは、個人に、彼または彼女の孤立感を自覚させるのに不十分となり、本方法の適用における個人の自発性の効果を制限してその効能を著しく減少させてしまう。
【００２３】
さらに、大海原に滞在することにより生み出される状況は、厳しい環境の感覚及び、日常の世界からの隔離を強めるので本方法の効力を向上させる。同時に、本方法は、自然のバックグラウンド音楽を用いたり、良好な船員でもほとんど耐えられない荒れ狂う波浪の音及び動作を模倣したりしている。船員の気性は、知られているように強い意志を有しており、彼らは勇敢であり、高いレベルの自制力を所有しているので、心理的なコンプレックスを克服しようとする、または、自制力を改善し自分の意志を強めようと願う人々にとって海による作用の効果のもう一つのあかしとして役立つことができる。
【００２４】
本発明によるフローティング・センターの構造は、本発明の方法を実施するために特別に開発されたものであり、このセンターに滞在する乗客のために特別な環境を作り出す必要性によって決定された。長手方向の仕切りによって舷側から分離された船の中央において閉鎖空間を作り出すことにより隔離が提供され、これは航海のためのそれぞれの安全要請を満たしている。
【００２５】
適用される考査は、海上での滞在に伴う自然の要因の利用を含み、特に、連続的な自然の背音が海風と共に海または大洋の音と動作を再現している。これらの要因は変更可能である。
【００２６】
乗客の要望で船の航路を変更でき、従って乗客の置かれる気象条件を変更できる。このことは、気温の自然な変化をもたらす。例えば、旅の初期段階で、船が赤道に向かって航海すれば、乗客は暑さに対処するであろう。その後、船を反対方向に向け、北極に向けて移動することもできる。しばらくすれば、乗客は浮氷に囲まれた冷たい海上にいることになる。
【００２７】
本発明の特徴と達成される技術的効果との間の因果関係は、個人が本発明のフローティング・センターに滞在し、本方法の適用を受ける状況及び本技術的解法の特徴を構成する状況等全ての状況が自然を基に創出されている点にある。それらは必要に応じて変更することもできる。特別な設備及び装置の使用は必要ない。このことは、著しく技術をシンプルにする。
【００２８】
さらに、この方法によって、個人は専門家と相談し、自分自身で自分の滞在条件を選択し、また、その後のそれらの状況を訂正する過程で干渉することもできる。言い換えれば、個人は、自分の心理的な状態の矯正を操作する者の一人であるという感覚の下で滞在する。この方法によって作られる状況は、非常に自然であるので、個人はその影響に気付きすらしない。このような個人の意志及び要望が含まれた「自己矯正」のアプローチは、精神に与える影響の効果を著しく改善することができる。
本発明のフローティング・センターの説明の目的で、添付図には、船の側面図、平面図、断面図を表す三図が含まれる。
【実施例】
【００２９】
本発明の方法は、以下の作業順序を含む。
この方法によって彼または彼女の心理的な状態を改善することを望む個人は、専門家に相談し、フローティング・センターに滞在するためのスターティング・コンディション（開始状況）を選択する。もっとも有効な結果が達成されるのを確実にするために、これらの状況は、個別的に選択することになっている。それらは主に、彼または彼女の性格を改善したいのか、彼または彼女の意志を強めたいのか、自制力のレベルを高めたいのか、または、この普段の環境から離れた中で彼または彼女自身の考えに集中できるように一人になることか、あるいは、極限感覚を体験することか等、個人ごとの目的による。これらの状況は、いくつかの異なる実施例に従って選択することができる。
【００３０】
例えば、もし、個人が十分勇敢で、彼または彼女の意志を強めること、彼または彼女の能力を考査すること、あるいは、彼または彼女の時間を身体的な改善に当てることが目的であれば、厳格な毎日の養生及び規定食を適用し、キャビン内の温度を変更し、完全なる視覚かつ空間的な隔離を提供し、様々な種類のフィジカルトレーニング及び継続的な医療的管理を提供することができる。
【００３１】
自制力のレベルを高めようとするか、または、悪習から脱却しようとする個人に対しては、視覚的及び空間的隔離と、心と身体の改善に向けてのトレーニングと、規則的な散歩並びに職員による連続的なコントロールと共に、良好に計画された毎日の養生及び規定食を薦めることができる。
【００３２】
彼または彼女の心の平静の回復、コンプレックスの克服及び自我確認を必要とする過敏症の個人を扱う時は、彼または彼女の滞在条件は、必要に応じて、彼らが簡単に変更できるように、より融通がきき、選択されるものでなければならない。検査は、規則的かつ綿密な基準で専門家によって実施されなければならない。
【００３３】
キャビンに滞在している個人の状態は、心理学者、精神分析学者、コーチ及びその他の専門家により構成された熟練スタッフによって遠隔で、並びに視覚的検査を通して局所的に監視される。何らかの不快が生じたり、情報または援助の必要性がある場合には、キャビンに設置された連絡装置でスタッフ・メンバーに知らせてもよい。
【００３４】
フローティング・センターへの滞在期間は、彼または彼女の心理的状態を矯正することを決めた個人により追求される目標及び専門家の忠告により、個別的に選択される。
乗客は、専門家による検査を拒絶して、センターにより提供されるフィジカル・トレーニング用の施設及び他のレクリエーション・サービスを随意に利用して、フローティングセンターで気晴らしの時間を過ごすこともできる。
【００３５】
フローティング・センターとして形成された船は、船体と建造物を一体化させた単一の構造物である。
図１は、船の側面図を示している。船嘴は乗組員及び特定の人のための集会所及びサービスルームのあるセクション(1)を含む。船の中央部分は、長手方向の仕切りによって舷側から隔離され、キャビンの列が配置されている４つの隔離されたゾーンに分割された閉ざされたスペースを有する。キャビンの船嘴ブロック(2)は、キャビンが配置されている下方ゾーン及び上方ゾーンを含み、一方では、キャビンの船嘴ブロック(2)の閉ざされたスペースの上面の上方にはガラスで囲まれた船嘴プロムナードデッキ(3)が配置されている。
【００３６】
船尾ブロックは、乗客のフィジカルトレーニングに利用されるもう一つの施設のブロック(4)によって、船嘴から分離されている。このブロックは、プラクティス・ホール（practice halls）、運動器具を備えたウエイト・ルーム、プールなどを含む。ブロック(4)の上方には、ヘリコプターの離発着の為のヘリポート(5)がある。
【００３７】
船尾ブロック(6)はまた、キャビンが配置され、それらの上方にプロムナードデッキ(7)が配置された、下方及び上方ゾーンを含む。船尾部分は、乗組員及び特定の人にあてたさらにもう一つの集会所及びサービスルームのブロック(8)を有する。
【００３８】
図２は、船嘴ブロック(2)及び船尾ブロック(6)におけるキャビンの配置を明確にみることができる断面図を示す。上方ゾーン(9)中のキャビンは、ガードレールで囲まれた３つの先を切り取った形（切頭形）のデッキに配置されている。下方ゾーン(10)中のキャビンは、４つのデッキに配置されており、内３つが先を切り取った形で末端がガードレールになっている。上方ゾーンは、プロムナードデッキの下方で、舷側と長手方向の仕切りとの間に配置されたプロムナードギャラリー(11)を二つの上方デッキに有する。
【００３９】
図３は、船の平面図を示す。この図は、隔離ゾーン(2)及び(6)、フィジカルトレーニングのために乗客に利用される施設のブロック(4)及び、乗員及び特定の人にあてられた集会所及びサービスルームのブロック(1)及び(8)といった船の全体的な組立を明瞭に示している。
【００４０】
乗客は、船嘴ブロックの上方及び下方ゾーン(2)及び船尾ブロックの上方及び下方ゾーン(6)のキャビンに連続的に滞在する。キャビンは、舷窓がないので視覚的な隔離を備えている。キャビンのドアは、ガードレールに囲まれた先を切り取った形（切頭形）のデッキの狭い廊下に開く。ドアには、内部から作動させることのできるシグナル電球が設置されている。ドアは、前もって設定された時間に、または、乗客が職員のメンバーに合いたかったり、予定外の散歩をしたかったり、または、他の場所に行きたかったりした場合は、内部からのシグナルを受けて、外部から遠隔で開く。
【００４１】
キャビンに滞在中、乗客は、彼らの個々のニーズ、生理的及び心理的状態に基づいて専門家が作成した前もって設定されたスケジュールに従う。キャビンは、海の音を増幅させることのできる音響装置と、快適なレベル又はトライアルを厳しくすることができる状態に設定することのできるサーモスタットとを備えている。温度状態の変更の可能性も専門家によって暫定的に承認される。センターはまた、キャビンに新鮮な空気を供給するために使用するためのエアレーション装置も設置している。通路が、船嘴及び船尾ブロックの上方ゾーン及び下方ゾーンの右側と左側の間に設けられ、あらゆるデッキに関して視覚が開放され、それぞれ、両側の全てのキャビンのドアに通じている。このことは、キャビンのドアにあるシグナル電球をスタッフが見ることができるようにしている。特別室には、リモート・コントロール・デスクが設置され、同様なシグナルが受信される。しかしながら、視覚観察は、乗客から受ける情報において冗長性を与えるので、専門家及び他の職員の作業が向上される。
【００４２】
船にいる間、乗客は、いつでも、彼または彼女の生活環境を選択できる。この目的を達成するために、彼又は彼女は、該当する専門家に依頼して、該専門家と一緒にいくつかの要素を訂正する。乗客は、いつでも、彼または彼女の船上での滞在を中断し、ヘリポート(5)から離陸するヘリコプターで船から離れることができる。
【００４３】
センターでの乗客の滞在条件を選択する際になされる乗客の状態を考査すること、また、乗客の生活条件を直す目的で考査がなされる際の乗客の滞在中における乗客の状態を考査すること、及び、乗客の滞在結果の評価のためのセンターでの滞在終了時において乗客の状態を考査することは、個人の精神生理学上の状態への影響においてこの方法の効果が示され、必要な忠告をすることが可能になる。この考査の結果は、人間生理学のさまざまな研究に利用することができる。考査の結果は、ほとんど極限状態に近い個人の行動研究及び意志を強くするため最適な状況の選択並びに人間の生理的な能力を改善のための提言の発展に投入することもできる。
【図面の簡単な説明】
【００４４】
【図１】船の側面図を示す。
【図２】船の断面図を示す。
【図３】船の平面図を示す。
【図１】
2004531308.tif 000003
【図２】
2004531308.tif 000004
【図３】
2004531308.tif 000005
【国際公開パンフレット】
2004531308.tif 000006
2004531308.tif 000007
2004531308.tif 000008
2004531308.tif 000009
2004531308.tif 000010
2004531308.tif 000011
2004531308.tif 000012
2004531308.tif 000013
2004531308.tif 000014
2004531308.tif 000015
2004531308.tif 000016
2004531308.tif 000017
2004531308.tif 000018
2004531308.tif 000019
2004531308.tif 000020
2004531308.tif 000021
【国際調査報告】
2004531308.tif 000022
2004531308.tif 000023
2004531308.tif 000024